(57)【要約】【課題】被制御装置をユーザが存在する環境に対応するように制御する。【解決手段】マルチメディアシステムにおいて、携帯端末１００Ａ，１００Ｂでは、当該携帯端末１００Ａ，１００Ｂの位置を特定する情報とテレビ２００の制御内容を特定する情報とが関連付けて記憶される。携帯端末１００Ａ，１００Ｂでは、自機の位置を特定する情報を取得すると、当該情報に対応する制御内容を決定し、テレビ２００に送信する。これに応じて、テレビ２００は、当該制御内容に従った態様で動作する。【選択図】図２
2013197817.tif 000002
【特許請求の範囲】
【請求項１】
音声および／または画像を出力するための駆動手段を備えた被制御装置と通信可能な端末装置であって、
前記端末装置の位置を特定する情報と前記駆動手段の制御内容を特定する情報とを関連付けて記憶するための記憶手段と、
前記端末装置の位置を特定する情報を取得するための取得手段と、
前記被制御装置に、前記記憶手段において、前記取得手段が取得した情報に関連付けられた前記制御内容を特定する情報を送信するための送信手段とを備える、端末装置。
【請求項２】
前記端末装置の位置を特定する情報は、前記端末装置の通信環境を示す情報である、請求項１に記載の端末装置。
【請求項３】
音声および／または画像を出力するための駆動手段を備えた被制御装置と通信可能な端末装置を制御するためのプログラムであって、
前記プログラムは、前記端末装置に、
前記端末装置の位置を特定する情報と前記駆動手段の制御内容を特定する情報とを関連付けて記憶するステップと、
前記端末装置の位置を特定する情報を取得するステップと、
前記被制御装置に、取得した前記端末装置の位置を特定する情報に関連付けて記憶されている前記制御内容を特定する情報を送信するステップとを実行させる、端末装置の制御プログラム。
【請求項４】
音声および／または画像を出力するための駆動手段と、
前記駆動手段を制御するための制御手段と、
端末装置の位置を特定する情報と前記駆動手段の制御内容を特定する情報とを関連付けて記憶するための記憶手段と、
前記端末装置の位置を特定する情報を受信するための受信手段とを備え、
前記制御手段は、前記記憶手段において、前記受信手段が受信した前記端末装置の位置を特定する情報に関連付けられている制御内容に従って前記駆動手段を制御する、被制御装置。
【請求項５】
前記端末装置の位置を特定する情報は、前記端末装置の通信環境を示す情報である、請求項４に記載の被制御装置。
【請求項６】
音声および／または画像を出力するための駆動手段を備えた被制御装置を制御するためのプログラムであって、
前記プログラムは、前記被制御装置に、
端末装置の位置を特定する情報と前記駆動手段の制御内容を特定する情報とを関連付けて記憶するステップと、
前記端末装置の位置を特定する情報を受信するステップとを備え、
前記制御手段は、受信した前記端末装置の位置を特定する情報に関連付けられて記憶されている制御内容に従って前記駆動手段を制御するステップとを実行させる、被制御装置の制御プログラム。
【請求項７】
音声および／または画像を出力するための駆動手段を含む被制御装置と、前記被制御装置と通信可能な端末装置とを備えた情報出力システムであって、
前記端末装置は、
前記端末装置の位置を特定する情報と前記駆動手段の制御内容を特定する情報とを関連付けて記憶するための記憶手段と、
前記端末装置の位置を特定する情報を取得するための取得手段と、
前記被制御装置に、前記記憶手段において、前記取得手段が取得した情報に関連付けられた前記制御内容を特定する情報を送信するための送信手段とを含み、
前記被制御装置は、
前記端末装置から受信した制御内容に従って前記駆動手段を制御するための制御手段を含む、情報出力システム。
【請求項８】
前記駆動手段の制御内容は、前記駆動手段についての制御用情報を特定するための情報であり、
前記被制御装置は、制御内容に関連付けて制御用情報を記憶するための制御用情報記憶手段をさらに含み、
前記制御手段は、前記制御用情報記憶手段において、前記端末装置から受信した制御内容に関連付けられて記憶されている制御用情報を用いて、前記駆動手段を制御する、請求項７に記載の情報出力システム。
【請求項９】
音声および／または画像を出力するための駆動手段を含む被制御装置と、前記被制御装置と通信可能な端末装置とを備えた情報出力システムであって、
前記被制御装置は、
前記駆動手段を制御するための制御手段と、
端末装置の位置を特定する情報と前記駆動手段の制御内容を特定する情報とを関連付けて記憶するための記憶手段とを含み、
前記端末装置は、
前記端末装置の位置を特定する情報を前記被制御装置に送信するための送信手段を含み、
前記被制御装置は、
前記端末装置の位置を特定する情報を受信するための受信手段をさらに含み、
前記制御手段は、
前記記憶手段において、前記受信手段が受信した前記端末装置の位置を特定する情報に関連付けられている制御内容に従って前記駆動手段を制御する、情報出力システム。
【請求項１０】
前記端末装置の位置を特定する情報は、前記端末装置の通信環境を示す情報である、請求項７〜請求項９のいずれかに記載の情報出力システム。
【発明の詳細な説明】
【技術分野】
【０００１】
本発明は、端末装置、その制御プログラム、被制御装置、その制御プログラム、および、情報出力システムに関し、特に、自機の位置情報を取得することができる端末装置、その制御プログラム、そのような端末装置と通信可能な被制御装置、その制御プログラム、および、上記端末装置と上記被制御装置を含む情報出力システムに関する。
【背景技術】
【０００２】
従来から、家電機器等の装置の遠隔制御について、種々の技術が開示されている。たとえば、特許文献１（特開２０１１−１２００１９号公報）には、制御装置による、ネットワークを介して接続された被制御装置の制御が開示されている。特許文献２（特開２０１１−２５００２７号公報）には、電気機器の遠隔操作のための情報の管理に関する技術が開示されている。特許文献３（特開２００９−１１２８２９号公報）には、ゲーム機器において、ユーザの位置をカメラでトラッキングし、当該位置の情報をゲームで利用することにより、カメラをコントローラとして利用する技術が開示されている。
【０００３】
また、種々の装置をその環境に応じて制御する技術についても、種々開示されている。たとえば、特許文献４（特開２００６−１８６９５７号公報）には、車の位置に基づいてラジオ局の選局を行なう車用音響装置が開示されている。特許文献５（特開２００６−５４５１５号公報）には、マルチメディアシステムにおいて、スピーカに対しその位置に対応した音声信号を供給する技術が開示されている。特許文献６（特開２００５−２６７４０号公報）には、家電機器の制御インタフェースにおいて、家庭外のサーバを用いて、家電機器のユーザコントロールに適切なユーザインタフェースをダウンロードするための技術が開示されている。特許文献７（特開２００３−２７４４９６号公報）には、車室内のスピーカの配置やスピーカの特性に応じて音場を設定する音場設定装置が開示されている。特許文献８（特開２０１０−２５８７０１号公報）には、通信端末において、通話中の音声の音量レベルを使用者の意思に応じて調整する技術が開示されている。特許文献９（特開２００２−３１２８６６号公報）には、他の部屋の騒音の度合いに応じて音量を調整する音量調節システムが開示されている。
【０００４】
また、装置をユーザの特性に応じて制御するための技術についても、種々開示されている。たとえば、特許文献１０（特開２００２−２２３５００号公報）には、使用者の聴力特性に基づいた音質フィッティングを行なうモバイル機器が開示されている。
【先行技術文献】
【特許文献】
【０００５】
【特許文献１】特開２０１１−１２００１９号公報
【特許文献２】特開２０１１−２５００２７号公報
【特許文献３】特開２００９−１１２８２９号公報
【特許文献４】特開２００６−１８６９５７号公報
【特許文献５】特開２００６−５４５１５号公報
【特許文献６】特開２００５−２６７４０号公報
【特許文献７】特開２００３−２７４４９６号公報
【特許文献８】特開２０１０−２５８７０１号公報
【特許文献９】特開２００２−３１２８６６号公報
【特許文献１０】特開２００２−２２３５００号公報
【発明の概要】
【発明が解決しようとする課題】
【０００６】
従来の技術では、被制御装置の環境やユーザの特性に対応させて当該被制御装置を制御することはできた。
【０００７】
しかしながら、従来の技術によれば、ユーザが移動する場合等、被制御装置の環境やユーザの特性は変わらないもののユーザが存在する環境が変化した場合に、最適な態様で被制御装置を制御することはできなかった。特許文献３では、ユーザの動きに応じて被制御装置が制御される。ただし、ここでは、ユーザの動きによっては、当該ユーザの環境（存在する場所など）が変更されることはない。つまり、特許文献３に記載の技術によっても、ユーザが存在する環境に応じて被制御装置を制御することはできなかった。
【０００８】
本発明は、かかる実情に鑑み考え出されたものであり、その目的は、被制御装置をユーザが存在する環境に対応するように制御することである。
【課題を解決するための手段】
【０００９】
本発明に従った端末装置は、音声および／または画像を出力するための駆動手段を備えた被制御装置と通信可能な端末装置であって、端末装置の位置を特定する情報と駆動手段の制御内容を特定する情報とを関連付けて記憶するための記憶手段と、端末装置の位置を特定する情報を取得するための取得手段と、被制御装置に、記憶手段において、取得手段が取得した情報に関連付けられた制御内容を特定する情報を送信するための送信手段とを備える。
【００１０】
好ましくは、端末装置の位置を特定する情報は、端末装置の通信環境を示す情報である。
【００１１】
本発明に従った端末装置の制御プログラムは、音声および／または画像を出力するための駆動手段を備えた被制御装置と通信可能な端末装置を制御するためのプログラムであって、プログラムは、端末装置に、端末装置の位置を特定する情報と駆動手段の制御内容を特定する情報とを関連付けて記憶するステップと、端末装置の位置を特定する情報を取得するステップと、被制御装置に、取得した端末装置の位置を特定する情報に関連付けて記憶されている制御内容を特定する情報を送信するステップとを実行させる。
【００１２】
本発明に従った被制御装置は、音声および／または画像を出力するための駆動手段と、駆動手段を制御するための制御手段と、端末装置の位置を特定する情報と駆動手段の制御内容を特定する情報とを関連付けて記憶するための記憶手段と、端末装置の位置を特定する情報を受信するための受信手段とを備え、制御手段は、記憶手段において、受信手段が受信した端末装置の位置を特定する情報に関連付けられている制御内容に従って駆動手段を制御する。
【００１３】
好ましくは、端末装置の位置を特定する情報は、端末装置の通信環境を示す情報である。
【００１４】
本発明に従った被制御装置の制御プログラムは、音声および／または画像を出力するための駆動手段を備えた被制御装置を制御するためのプログラムであって、プログラムは、被制御装置に、端末装置の位置を特定する情報と駆動手段の制御内容を特定する情報とを関連付けて記憶するステップと、端末装置の位置を特定する情報を受信するステップとを備え、制御手段は、受信した端末装置の位置を特定する情報に関連付けられて記憶されている制御内容に従って駆動手段を制御するステップとを実行させる。
【００１５】
本発明のある局面に従った情報出力システムは、音声および／または画像を出力するための駆動手段を含む被制御装置と、被制御装置と通信可能な端末装置とを備えた情報出力システムであって、端末装置は、端末装置の位置を特定する情報と駆動手段の制御内容を特定する情報とを関連付けて記憶するための記憶手段と、端末装置の位置を特定する情報を取得するための取得手段と、被制御装置に、記憶手段において、取得手段が取得した情報に関連付けられた制御内容を特定する情報を送信するための送信手段とを含み、被制御装置は、端末装置から受信した制御内容に従って駆動手段を制御するための制御手段を含む。
【００１６】
好ましくは、駆動手段の制御内容は、駆動手段についての制御用情報を特定するための情報であり、被制御装置は、制御内容に関連付けて制御用情報を記憶するための制御用情報記憶手段をさらに含み、制御手段は、制御用情報記憶手段において、端末装置から受信した制御内容に関連付けられて記憶されている制御用情報を用いて、駆動手段を制御する。
【００１７】
本発明の他の局面に従った情報出力システムは、音声および／または画像を出力するための駆動手段を含む被制御装置と、被制御装置と通信可能な端末装置とを備えた情報出力システムであって、被制御装置は、駆動手段を制御するための制御手段と、端末装置の位置を特定する情報と駆動手段の制御内容を特定する情報とを関連付けて記憶するための記憶手段とを含み、端末装置は、端末装置の位置を特定する情報を被制御装置に送信するための送信手段を含み、被制御装置は、端末装置の位置を特定する情報を受信するための受信手段をさらに含み、制御手段は、記憶手段において、受信手段が受信した端末装置の位置を特定する情報に関連付けられている制御内容に従って駆動手段を制御する。
【００１８】
好ましくは、端末装置の位置を特定する情報は、端末装置の通信環境を示す情報である。
【発明の効果】
【００１９】
本発明によれば、被制御装置では、駆動手段が、端末装置の位置に関連付けられた制御内容で制御される。
【００２０】
したがって、ユーザが端末装置を携帯していれば、被制御装置は、ユーザの存在する位置に対応する制御内容に従って、音声および／または画像を出力することができる。
【図面の簡単な説明】
【００２１】
【図１】本発明の情報出力システムの一実施の形態であるマルチメディアシステムが設置された居室を示す図である。
【図２】図１のマルチメディアシステムの構成の概要を説明するための図である。
【図３】図１のマルチメディアシステムの携帯端末のハードウェア構成の具体例を示す図である。
【図４】図１のマルチメディアシステムのテレビの構成の具体例を示すブロック図である。
【図５】チューニング処理の内容を説明するための図である。
【図６】携帯端末においてチューニング処理の際に実行される処理のフローチャートである。
【図７】携帯端末の位置に応じて動作を制御するために、テレビにおいて実行される処理のフローチャートである。
【図８】変形例（１）のチューニング処理において、テレビにおいて実行される処理のフローチャートである。
【図９】変形例（１）において携帯端末の位置に応じて動作を制御するためにテレビにおいて実行される処理のフローチャートである。
【図１０】変形例（２）のチューニング処理において、携帯端末において実行される処理のフローチャートである。
【図１１】変形例（２）において携帯端末の位置に応じてテレビの動作を制御するために携帯端末において実行される処理のフローチャートである。
【発明を実施するための形態】
【００２２】
以下、本発明の携帯端末、被制御装置、および、情報出力システムの実施の形態について、図面を参照して説明する。なお、以下の説明において、同一の機能および作用を有する要素については、同じ各図を通して同じ符号を付し、重複する説明を繰返さない。
【００２３】
＜システム構成＞
図１は、本発明の情報出力システムの一実施の形態であるマルチメディアシステムが設置された居室９００を示す図である。
【００２４】
図１を参照して、居室９００には、被制御装置の一例であるテレビ２００とともに、テーブル９０１、椅子９０２〜９０５、および、仕切り板９１０が設けられている。そして、居室９００には、ＲＦＩＤ（Radio  Frequency  IDentification）タグ３０１〜３０６が設置されている。ＲＦＩＤタグ３０１〜３０６のそれぞれには、互いに異なるＩＤ情報を埋め込まれている。
【００２５】
ＲＦＩＤタグ３０１〜３０４は、長方形状の居室９００の四隅のそれぞれに配置されている。また、ＲＦＩＤタグ３０５は、仕切り板９１０上に配置されている。また、ＲＦＩＤ３０６は、居室９００のほぼ中央に位置するテーブル９０１上（または、テーブル９０１の下面）に配置されている。
【００２６】
本実施の形態のマルチメディアシステムでは、ユーザは、図２に示されるように、居室９００内を携帯端末１００を携帯して移動する。なお、図２では、携帯端末１００は、それぞれの位置に応じて「携帯端末１００Ａ」「携帯端末１００Ｂ」として示されている。つまり、携帯端末１００Ａと携帯端末１００Ｂは、いずれもその実体は携帯端末１００である。
【００２７】
携帯端末１００は、自機の位置を特定する情報を取得する。たとえば、図２において携帯端末１００Ａで示される位置にあるときには、ＲＦＩＤタグ３０６と通信し、当該ＲＦＩＤタグ３０６に埋め込まれたＩＤを取得する。つまり、携帯端末１００Ａに示される位置にあるとき、携帯端末１００は、自機の位置を示す位置を特定する情報としてＲＦＩＤタグ３０６に埋め込まれたＩＤを取得する。
【００２８】
また、携帯端末１００は、図２において携帯端末１００Ｂで示される位置にあるときには、ＲＦＩＤタグ３０５と通信し、当該ＲＦＩＤタグ３０５に埋め込まれたＩＤを取得する。つまり、携帯端末１００Ｂに示される位置にあるとき、携帯端末１００は、自機の位置を示す位置を特定する情報としてＲＦＩＤタグ３０５に埋め込まれたＩＤを取得する。
【００２９】
以上の次第で、マルチメディアシステムにおいて、携帯端末１００は、ＲＦＩＤタグ３０１〜３０６のうち１以上のＲＦＩＤタグから、居室９００内の自機の位置に応じたＲＦＩＤを、自機の位置を特定するための情報として取得する。
【００３０】
携帯端末１００は、上記のように取得した自機の位置を特定するための情報をテレビ２００に送信する。これに応じて、テレビ２００は、携帯端末１００の位置に応じた態様で、情報を出力（音声を出力および／または画像（映像）を表示）する。
【００３１】
たとえば、携帯端末１００が携帯端末１００Ａで示された位置にあるときには、テレビ２００は、テーブル９０１近傍でユーザが最もバランスよくまた充分に音声が聞こえるように音声の質や音量を制御し、また、テーブル９０１近傍に居るユーザが見やすいように画像を表示させる画面の輝度等を制御する。
【００３２】
また、携帯端末１００が携帯端末１００Ｂで示された位置にあるときには、テレビ２００は、仕切り板９１０近傍でユーザが最もバランスよくまた充分に音声が聞こえるように音声を出力したり、テーブル９０１近傍に居るユーザが見やすいように画像を表示させる画面の輝度等を制御する。
【００３３】
本明細書では、説明の容易のため、テレビ２００による情報の出力のうち、主に音声の出力について説明がなされる。
【００３４】
＜携帯端末のハードウェア構成＞
図３は、携帯端末１００のハードウェア構成の具体例を示す図である。
【００３５】
図３を参照して、携帯端末１００は、携帯端末１００全体を制御するための演算装置であるＣＰＵ（Central  Processing  Unit）１０と、ＣＰＵ１０で実行されるプログラムなどを記憶するためのＲＯＭ（Read  Only  Memory）１１と、ＣＰＵ１０でプログラムを実行する際の作業領域として機能するためのＲＡＭ（Random  Access  Memory）１２と、液晶ディスプレイ等の表示装置によって実現される表示部１４と、携帯端末１００に対する操作入力を受付けるための操作部１５と、ＣＰＵ１０によって実行されるプログラム等を保存するための記憶装置１６と、記憶媒体にアクセスしてそこからファイルを読み出したり書き込んだりするためのメディアコントローラ１７と、上記したＬＡＮ（Local  Area  Network）等のネットワークを介した通信の制御のためにモデム等により構成される通信装置１８と、音声の入力を受け付けるためのマイク１９とを含む。
【００３６】
操作部１５は、たとえばキーボードやマウスなどの入力装置によって実現される。なお、操作部１５は、タッチセンサによって実現され、表示部１４と一体的に、タッチパネルとして実現される場合も有り得る。
【００３７】
本実施の形態では、たとえば、ＣＰＵ１０が適切なプログラムを実行することにより、本明細書に記載された携帯端末１００の機能の少なくとも一部が実現される。
【００３８】
ＣＰＵ１０が実行するプログラムは、上記記憶媒体に記憶されていても良い。記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カ
セットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。また、ＣＰＵ１０が実行されるプログラムは、ネットワークを介して記憶装置１６にインストールされる場合も有り得る。
【００３９】
＜被制御装置のハードウェア構成＞
図４は、テレビ２００の構成の具体例を示すブロック図である。
【００４０】
図４を参照して、テレビ２００は、ＬＡＮを介する等して他の装置と通信するためのモデム等によって実現される通信部２１０と、ユーザからの操作入力を受け付けるための機構である入力部２１２と、制御部２１３と、テレビとして機能するための図示しない機構を駆動させるための機構である駆動部２１４と、ハードディスク等によって実現される記憶装置１６とを含む。
【００４１】
制御部２１３は、図示しないＣＰＵ（Central  Processing  Unit）、ＲＡＭ（Random  Access  Memory）などを含む。制御部２１３では、当該ＣＰＵが、入力部２１２からの操作信号に従って当該ＲＡＭに記憶されているプログラムを実行することにより駆動部２１４に制御信号を出力し、図示しない機構を駆動させる。駆動対象の機構は、たとえば映像（画像）を表示するための回路や、音声を出力するための回路である。
【００４２】
なお、本明細書では、被制御装置の一例としてテレビ２００が示されるが、被制御装置は、画像と音声のうち少なくとも一方を出力できるものであればよい。テレビのように放送受信機能を備えていなくともよい。ステレオシステムのような音声出力装置であってもよいし、デジタルフォトスタンドのような画像出力装置であってもよい。また、ビデオ再生装置であってもよい。
【００４３】
記憶装置１６には、後述する制御情報ＤＢ（データベース）を構成する情報、制御部２１３によって実行されるプログラム、および、当該プログラムの実行に必要なデータ等、種々の情報が記憶される。記憶装置１６は、テレビ２００本体に固定されているものであってもよいし、テレビ２００本体に対して着脱可能なものであってもよい。
【００４４】
＜チューニング処理の概要＞
本実施の形態のマルチメディアシステムでは、テレビ２００は、携帯端末１００の居室９００内の位置に応じた態様で、画像（映像）を表示し、また、音声を出力する。そして、その出力態様は、携帯端末１００の位置に対応するように制御される。本明細書では、説明の容易のため、音声の出力についてのみ言及する。
【００４５】
なお、そのような制御に先立って、マルチメディアシステムではチューニング処理が行われる。チューニング処理とは、携帯端末１００の位置とテレビ２００の音声出力（および／または画像出力）のための制御内容とを関連付ける情報を生成する処理である。
【００４６】
具体的には、ユーザは、携帯端末１００を携帯しながら種々の場所に位置し、各場所で、好ましいと思う態様でテレビ２００に音声出力（および／または画像出力）をさせる。このとき、携帯端末１００は、自機の位置を特定する情報が記録され、テレビ２００では、当該出力態様で出力を実行するための制御用情報（たとえば、スピーカの音量や表示画面の輝度等）が記録される。そして、各場所での、携帯端末１００の位置を特定する情報と制御用情報が、互いに関連付けられて、携帯端末１００またはテレビ２００に記録される。
【００４７】
なお、ユーザが各場所でテレビ２００を操作する代わりに、図５に示されるように、携帯端末１００において、各場所でマイク１９に入力された音声をＣＰＵ１０が解析し、当該入力された音声が予め定められた最適な音量になる（または、音量範囲に属する）ようにテレビ２００に制御信号を送信することにより、当該場所に対応するテレビ２００の出力態様が決定されてもよい。
【００４８】
本実施の形態では、このような関連付けの情報は、携帯端末１００とテレビ２００とに分けて、格納される。表１に、携帯端末１００側に格納される情報（環境情報ＤＢ）を示す。また、表２に、テレビ２００側に格納される情報（制御情報ＤＢ）を示す。
【００４９】
【表１】
2013197817.tif 000003
【００５０】
【表２】
2013197817.tif 000004
【００５１】
表１の環境情報ＤＢでは、通信環境情報とチューニングＩＤが関連付けられている。
通信環境情報は、携帯端末１００の位置を特定するための情報である。本実施の形態では、通信環境情報は、ＲＦＩＤタグ３０１〜３０６のうち、携帯端末１００の通信相手となったものから取得したＲＦＩＤ（SC0001，SC0002等）である。
【００５２】
チューニングＩＤは、後述するように、テレビ２００において格納されている制御用情報を特定するための情報である。制御用情報とは、テレビ２００の具体的な制御内容を特定する情報である。
【００５３】
表２の環境情報ＤＢでは、チューニングＩＤと制御用情報が関連付けられている。
制御用情報は、上記したように、テレビ２００の具体的な制御内容を特定する情報である。表２では、制御用情報の具体例として、左右のスピーカのそれぞれの音量が記載されている。そして、表２によれば、チューニングＩＤ「ABCD1234」は、左スピーカ音量が１０であり右スピーカ音量が１２であるという、具体的な音声出力の制御内容を特定する。そして、チューニングＩＤ「ABCD1235」は、左スピーカ音量が８であり右スピーカ音量が１０であるという、具体的な音声出力の制御内容を特定する。
【００５４】
＜チューニング処理の内容＞
図６は、携帯端末１００においてチューニング処理の際に実行される処理のフローチャートである。
【００５５】
図６を参照して、ＣＰＵ１０は、ステップＳＡ１０において、その時点での通信環境情報を取得して、ステップＳＡ２０へ処理を進める。つまり、所定の電波を発し、ＲＦＩＤタグ３０１〜３０６のいずれかのＩＤ情報を取得する。なお、表１では、１つのチューニングＩＤに関連付けられる通信環境情報として１つのＲＦＩＤのみが記載されているが、携帯端末１００が同時に２以上のＲＦＩＤタグからＩＤ情報を取得した場合には、１つのチューニングＩＤに２以上のＲＦＩＤの組み合わせが関連付けられる場合もあり得る。
【００５６】
ステップＳＡ２０では、ＣＰＵ１０は、テレビ２００に対してその時点での制御用情報の記録を指示する。これに応じて、テレビ２００では、表２を参照して説明したような制御用情報が、チューニングＩＤとともに、制御情報ＤＢに格納される。そして、テレビ２００の制御部２１３は、ここで記録された制御用情報に関連付けたチューニングＩＤを携帯端末１００に送信する。
【００５７】
これに応じて、ＣＰＵ１０は、ステップＳＡ３０で、当該チューニングＩＤを受信し、そして、環境情報ＤＢにおいて、ステップＳＡ１０で記録した通信環境情報に関連付けて、受信したチューニングＩＤを記録して、処理を終了する。
【００５８】
チューニング処理の内容をより具体的に説明すると、ユーザは、携帯端末１００を持って居室９００内の或る場所に移動する。その場所で、ユーザは、テレビ２００の音声出力の態様（音量、音響効果、等）を調整する。そして、ユーザは、携帯端末１００の操作部１５のうち特定の部分を操作する。これに応じて、ＣＰＵ１０は、ステップＳＡ１０で、その時点で取得したＲＦＩＤを環境情報ＤＢに記録し、そして、ステップＳＡ２０で、テレビ２００に対してその時点での音声出力態様を実現するための制御用情報（たとえば、表２に示された左右それぞれのスピーカ音量等）の記録を指示する。これに応じて、ＣＰＵ２１３は、制御情報ＤＢに、新たに制御用情報を記録するとともに、当該新たな制御用情報に関連付けて新たなチューニングＩＤを記録する。そして、ＣＰＵ２１３は、当該新たなチューニングＩＤを携帯端末１００に送信する。これに応じて、携帯端末１００のＣＰＵ１０は、受信した新たなチューニングＩＤを、上記のように取得し記録した通信環境情報に関連付けて環境情報ＤＢに記録する。
【００５９】
なお、上記のように取得されたＲＦＩＤが既に環境情報ＤＢに記録されている場合、ステップＳＡ１０において改めて環境情報ＤＢに当該ＲＦＩＤを記録することなく、そして、ステップＳＡ３０において、当該既に環境情報ＤＢに記録されているＲＦＩＤに関連付けて、受信したチューニングＩＤを記録してもよい。この場合、既に記録されているチューニングＩＤを上書きしてもよいし、既に記録されているチューニングＩＤと併存するように記録してもよい。
【００６０】
また、ユーザが特定の部分を操作する代わりに、ＣＰＵ１０がステップＳＡ１０を実行するタイミングを決定してもよい。具体的には、ＣＰＵ１０は、マイク１９から入力される音声が所定の状態（音量、音響効果、等）となるまでテレビ２００に対して制御信号を送信し、所定の状態となったと判断すると、ステップＳＡ１０を実行してもよい。つまり、携帯端末１００において、チューニングが、手動ではなく自動で行われてもよい。
【００６１】
＜被制御装置の制御＞
図７は、本実施の形態のマルチメディアシステムにおいて、携帯端末１００の位置に応じてテレビ２００の動作を制御するために、テレビ２００において実行される処理のフローチャートである。
【００６２】
図７を参照して、ＣＰＵ２１３は、まずステップＳＢ１０において、携帯端末１００に対して、チューニングＩＤの送信を要求して、ステップＳＢ２０へ処理を進める。
【００６３】
ステップＳＢ２０では、ＣＰＵ２１３は、制御情報ＤＢにおいて受信したチューニングＩＤに関連付けられている制御用情報を抽出することにより、駆動部２１４に対する制御内容を決定して、ステップＳＢ３０へ処理を進める。
【００６４】
ステップＳＢ３０では、ＣＰＵ２１３は、ステップＳＢ２０で決定した制御内容に従った駆動部２１４に対する制御を実行して、処理を終了する。
【００６５】
以下、図７の処理内容をより具体的に説明する。
テレビ２００の起動時または前回図７の処理が実行されてから所定時間が経過したとき、ＣＰＵ２１３は、ステップＳＢ１０で、携帯端末１００に対して、チューニングＩＤの送信を要求する。
【００６６】
これに応じて、携帯端末１００のＣＰＵ１０は、その時点でＲＦＩＤ（たとえば、「SC0002」）を取得し、環境情報ＤＢにおいて当該取得されたＲＦＩＤに関連付けられているチューニングＩＤ（たとえば、「ABCD1235」）を取得し、そして、当該チューニングＩＤをテレビ２００へ送信する。
【００６７】
これに応じて、ステップＳＢ２０で、テレビ２００のＣＰＵ２１３は、制御情報ＤＢにおいて受信したチューニング（「ABCD1235」）と関連付けられている制御用情報（左スピーカ音量：８，右スピーカ音量：１０）を取得する。
【００６８】
そして、ステップＳＢ３０で、ＣＰＵ２１３は、ステップＳＢ２０で取得した制御用情報に従って、駆動部２１４を制御する。具体的には、ＣＰＵ２１３は、左右のスピーカの音量がそれぞれ上記した音量になるように、音声出力回路（駆動部２１４の一部）を制御する。
【００６９】
＜実施の形態のまとめ＞
以上説明した本実施の形態のマルチメディアシステムでは、テレビ２００によって、音声および／または画像を出力するための駆動手段を含む被制御装置が構成され、携帯端末１００によって、被制御装置と通信可能な端末装置が構成される。
【００７０】
携帯端末１００では、環境情報ＤＢを格納する記憶装置１６によって、端末装置の位置を特定する情報と駆動手段の制御内容を特定する情報とを関連付けて記憶するための記憶手段が構成される。また、ＲＦＩＤを取得するための電波を発信する通信装置１８によって、端末装置の位置を特定する情報を取得するための取得手段が構成される。また、ネットワークを介してテレビ２００と通信するための通信装置１８によって、被制御装置に、記憶手段において、取得手段が取得した情報に関連付けられた制御内容を特定する情報を送信するための送信手段が構成される。
【００７１】
そして、テレビ２００では、端末装置から受信した制御内容（チューニングＩＤ）に従って駆動部２１４を制御する制御部２１３によって、制御手段が構成される。
【００７２】
なお、本実施の形態では、制御内容（チューニングＩＤ）は、駆動手段についての制御用情報（たとえば、「左スピーカ音量：１０，右スピーカ音量：１２」）を特定するための情報である。
【００７３】
＜変形例（１）＞
マルチメディアシステムにおいて、携帯端末１００では、ＲＦＩＤ等の自機の位置を特定するための情報のみが取り扱われてもよい。
【００７４】
この場合、携帯端末１００の記憶装置１６には、環境情報ＤＢは格納されない。その代わりに、テレビ２００の記憶部２１６に格納される制御情報ＤＢが、表３のように変更される。
【００７５】
【表３】
2013197817.tif 000005
【００７６】
表３に示された制御情報ＤＢでは、通信環境情報と制御用情報とが関連付けられている。このような制御情報ＤＢは、チューニング処理において生成される。
【００７７】
図８は、本変形例のチューニング処理においてテレビ２００の制御部２１３が実行する処理のフローチャートである。
【００７８】
図８を参照して、ステップＳＢ１１０では、制御部２１３は、携帯端末１００に対して通信環境情報の送信を要求する。このような要求は、携帯端末１００を特定して送信されてもよいし、ブロードキャストで配信されてもよい。
【００７９】
携帯端末１００は、当該要求に応じて、ＲＦＩＤを取得するための電波を発信し、そして、取得したＲＦＩＤをテレビ２００に送信する。
【００８０】
これに応じて、制御部２１３は、携帯端末１００から送信された通信環境情報を受信し、その時点での制御用情報と関連付けて制御情報ＤＢに格納する。
【００８１】
これにより、表３に示されたような制御情報ＤＢが生成される。
図８の処理は、たとえば、ユーザが携帯端末１００を携帯しながら制御用情報を登録したい位置に移動し、当該位置で自己の好ましい態様でテレビ２００の音声／映像の出力態様を設定し、そして、携帯端末１００に対して特定の操作を行う。当該特定の操作に基づいて、携帯端末１００のＣＰＵ１０は、通信装置１８を介して、制御情報ＤＢに制御用情報を登録する要求を送信する。当該要求に応じて、テレビ２００の制御部２１３は、図８のステップＳＢ１１０の処理を開始する。
【００８２】
なお、制御部２１３は、ステップＳＢ１１０の処理を、一定時間ごとに実行してもよいし、携帯端末１００の位置情報を定期的に取得し、当該位置情報が変化したことに基づいて実行してもよい。
【００８３】
図９は、携帯端末１００の位置に対応したテレビ２００の制御のために制御部２１３で実行される処理のフローチャートである。
【００８４】
図９を参照して、ステップＳＢ２１０で、制御部２１３は、携帯端末１００からその時点で携帯端末１００において計測された通信環境情報を受信して、ステップＳＢ２２０へ処理を進める。
【００８５】
ステップＳＢ２２０では、制御部２１３は、制御情報ＤＢに格納された制御用情報のうち、ステップＳＢ２１０で受信した通信環境情報に関連付けられているものを抽出し、当該制御用情報を駆動部２１４の制御内容に決定して、ステップＳＢ２３０へ処理を進める。
【００８６】
ステップＳＢ２３０では、制御部２１３は、ステップＳＢ２２０で決定した制御内容に従って駆動部２１４を制御して、処理を終了する。
【００８７】
ステップＳＢ２１０の処理は、たとえば、制御部２１３が継続して携帯端末１００の位置情報を取得し、当該位置情報が変更した場合に、開始される。また、ステップＳＢ２１０の処理は、携帯端末１００において特定の操作がなされたことによって携帯端末１００がテレビ２００に当該処理の開始要求を送信し、制御部２１３が当該開始要求を受信したことに応じて開始されてもよい。
【００８８】
＜変形例（２）＞
マルチメディアシステムにおいて、テレビ２００では、制御用情報のみが扱われてもよい。この場合、テレビ２００の記憶部２１６には表２を参照して説明したような制御情報ＤＢは格納されない。その代わり、携帯端末１００の記憶装置１６に格納される環境情報ＤＢは、表４に示されるように、テレビ２００の制御用情報を含む情報が格納される。
【００８９】
【表４】
2013197817.tif 000006
【００９０】
表４の環境情報ＤＢでは、通信環境情報と制御用情報とが関連付けられている。
図１０は、本変形例のチューニング処理において携帯端末１００のＣＰＵ１０が実行する処理のフローチャートである。
【００９１】
図１０を参照して、ＣＰＵ１０は、ステップＳＡ１１０において、ステップＳＡ１０（図６参照）と同様に、その時点での通信環境情報を取得して、ステップＳＡ１２０へ処理を進める。
【００９２】
ステップＳＡ１２０では、ＣＰＵ１０は、テレビ２００に対してその時点での制御用情報の送信を要求して、ステップＳＡ１３０へ処理を進める。
【００９３】
ステップＳＡ１３０では、ＣＰＵ１０は、ステップＳＡ１２０の要求に応じてテレビ２００から送信された制御用情報を受信し、当該受信した制御用情報をステップＳＡ１１０で取得した通信環境情報と関連付けて、環境情報ＤＢに記録して、処理を終了する。
【００９４】
本変形例において、ＣＰＵ１０は、たとえば携帯端末１００において特定の操作がなされた場合に、ステップＳＡ１１０の処理を開始する。
【００９５】
図１１は、本変形例において、テレビ２００の制御のためにＣＰＵ１０が実行する処理のフローチャートである。
【００９６】
図１１を参照して、ＣＰＵ１０は、ステップＳＡ２１０で、その時点での通信環境情報を取得してステップＳＡ２２０へ処理を進める。
【００９７】
ステップＳＡ２２０では、ＣＰＵ１０は、環境情報ＤＢにおいてステップＳＡ２１０で取得した通信環境情報に関連付けられている制御用情報を抽出することにより、テレビ２００の制御内容を決定して、ステップＳＡ２３０へ処理を進める。
【００９８】
ステップＳＡ２３０では、ＣＰＵ１０は、ステップＳＡ２２０で決定した制御内容（抽出された制御用情報）をテレビ２００に送信して、処理を終了する。
【００９９】
これに応じて、テレビ２００では、制御部２１３は、受信した制御用情報に従って、駆動部２１４の動作を制御する。
【０１００】
ステップＳＡ２１０の処理は、たとえば携帯端末１００において特定の操作がなされたときに開始される。ユーザは、或る場所に移動し、携帯端末１００に対して特定の操作を行うことにより、テレビ２００を、当該或る場所に対応した態様で、動作させることができる。
【０１０１】
＜その他の変形例等＞
上記したチューニング処理において、ユーザに好ましい態様で動作するような、テレビ２００の動作内容（制御用情報）は、ユーザによって設定されてもよいし、携帯端末１００に内蔵された要素（マイク１９）に入力される情報（音声）に基づいて、ＣＰＵ１０がテレビ２００に対して制御信号を送信することによって設定されてもよい。また、後者の場合、上記要素は、上記のように携帯端末１００に内蔵されていてもよいし、携帯端末１００に対して着脱可能に装着されてもよい。また、当該要素は、テレビ２００側に（固定されて、または、着脱可能に）設けられていてもよい。
【０１０２】
また、マルチメディアシステムにおいて、携帯端末１００は、ＲＦＩＤタグ３０１〜３０６のうち１以上のＲＦＩＤタグからＲＦＩＤを取得することにより、自機の位置を特定するための情報として取得する。なお、自機の位置を特定する情報は、ＷｉＦｉのアクセスポイントを特定する情報および当該アクセスポイントからの電波の受信強度であってもよい。この場合、マルチメディアシステムは、携帯端末１００が、居室９００において１以上のアクセスポイントから電波を受信可能となる通信環境とともに提供される。携帯端末１００を携帯したユーザが居室９００内を移動すると、当該ユーザの位置に応じて携帯端末１００における電波の受信態様（どのアクセスポイントからどの程度の受信強度で電波を受信するか）が変化する。そして、この場合、通信環境情報として、上記電波の受信態様が採用される。
【０１０３】
また、携帯端末１００が居室９００内に存在していても、テレビ２００が携帯端末１００と通信可能な限り、携帯端末１００の位置に応じてテレビ２００の動作が制御され得る。「テレビ２００が携帯端末１００と通信可能」とは、これらが直接する場合だけでなく、サーバ等の他の機器を介して通信する場合も含む。
【０１０４】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。実施の形態およびその変形例において開示された技術は、可能な限り単独でも組み合わせても実施され得ることが意図される。
【符号の説明】
【０１０５】
１０  ＣＰＵ、１４  表示部、１５  操作部、１６  記憶装置、１７  メディアコントローラ、１８  通信装置、１９  マイク、１００，１００Ａ，１００Ｂ  携帯端末、２００  テレビ、２１０  通信部、２１２  入力部、２１３  制御部、２１４  駆動部、２１６  記憶部、３０１〜３０６  ＲＦＩＤタグ、９００  居室、９０１  テーブル、９０２〜９０５  椅子、９１０  仕切り板。
【図１】
2013197817.tif 000007
【図２】
2013197817.tif 000008
【図３】
2013197817.tif 000009
【図４】
2013197817.tif 000010
【図５】
2013197817.tif 000011
【図６】
2013197817.tif 000012
【図７】
2013197817.tif 000013
【図８】
2013197817.tif 000014
【図９】
2013197817.tif 000015
【図１０】
2013197817.tif 000016
【図１１】
2013197817.tif 000017